(57)【特許請求の範囲】
【請求項１】
屋外に設けられ内部に電子機器を収納する筐体の少なくとも一つの側壁部の内側に、前記側壁部と前記電子機器とを隔離する隔壁部を設け、
前記側壁部に一つ以上の第１の開口部を形成し、前記側壁部の外側の面に前記第１の開口部を覆うとともに下向きの開口を有する第１のルーバーを設け、かつ前記側壁部の内側の面に、前記第１の開口部を覆うとともに下向きの開口を有する第２のルーバーを設け、
前記隔壁部に一つ以上の第２の開口部を形成し、前記隔壁部の前記側壁部側の面に、前記第２の開口部を覆うとともに下向きの開口を有する第３のルーバーを設けてなり、
前記側壁部は、外側壁部とその内側に設けられた内側壁部とを備え、
前記第１の開口部は、前記外側壁部に形成された外側開口部と、前記内側壁部に形成された内側開口部とにより形成され、
前記第１のルーバーは、前記外側壁部の外側の面に、前記外側開口部の上縁から延出し、前記外側開口部を覆うとともに下向きの開口を有して形成され、
前記第２のルーバーは、前記内側壁部の内側の面に、前記内側開口部の上縁から延出し、前記内側開口部を覆うとともに下向きの開口を有して形成され、
前記第２のルーバーの下端は、前記第１のルーバーの下端より低い位置にあり、
前記外側開口部の上縁と前記内側開口部の上縁とは、互いに同じ高さ位置にあることを特徴とする電気機器屋外用ユニット。
【請求項２】
前記第１の開口部と前記第２の開口部とは、前記筐体の底面からの高さが同一であるか、または前記第１の開口部が前記第２の開口部より上方にあることを特徴とする請求項１記載の電気機器屋外用ユニット。
【発明の詳細な説明】
【技術分野】
【０００１】
本発明は、電気機器屋外用ユニットに関するものである。
【背景技術】
【０００２】
従来、屋外にて各種電気機器を収納する電気機器屋外用ユニットにおいては、放熱、防水を考慮する必要があることから、屋外から取り込んだ外気を用いて電気機器を冷却する吸排気構造が用いられている（特許文献１〜４等参照）。
図８は、従来の電気機器屋外用ユニットの一例を示す縦断面図であり、この電気機器屋外用ユニット１は、電気機器（図示略）を収納するユニット本体２の側壁部３に冷却用外気を取り込むための開口部４が形成され、これらの開口部４各々には、側壁部３から斜め下方に延びて開口部４を覆うとともに下向きの開口５を有するルーバー６が設けられている。
この電気機器屋外用ユニット１では、これらのルーバー６により外から雨水が浸入し難くなっている。
【先行技術文献】
【特許文献】
【０００３】
【特許文献１】実開昭５３−８６３４９号公報
【特許文献２】特開平９−１８１４６０号公報
【特許文献３】特開平７−１６２１６２号公報
【特許文献４】実開平６−９０５４号公報
【発明の概要】
【発明が解決しようとする課題】
【０００４】
ところで、従来の電気機器屋外用ユニット１では、ルーバー６により雨水が浸入し難くなってはいるものの、下側に開口５が形成されているために、台風時に下から吹き上げる雨水の一部が開口５から浸入して、収納されている電気機器（図示略）を濡らす虞があり、外部からの水の浸入を防止することが難しいという問題点があった。このような問題点を解決するためには、さらなる対策を施す必要があるが、この対策により吸排気口面積の確保が困難になる場合が多い。
例えば、電気機器屋外用ユニットの裏側の板（裏面板）に開口部を形成し、この裏面板に平行に遮光板を配置し、この裏面板に開口部を覆うルーバーを取り付けるとともに遮光板の側面側に開口部を設けた構成が考えられるが、この構造では、電気機器を冷却するための開口部が狭くなり、開口部の吸排気口面積の確保が困難であるという問題点があった。
【０００５】
開口部の吸排気口面積の確保ができない場合、収納される電気機器の排熱が充分にできず、したがって、電気機器やシステム全体の発熱量を抑制したり、あるいはシステムの容量を抑制したり等を行う必要が生じ、場合によっては、商品として成り立たなくなったり、競合他社の製品より劣ってしまうという可能性がある。
【０００６】
本発明は、上記の課題を解決するためになされたものであって、屋外にて各種電気機器を収納する電気機器屋外用ユニットにおいて、防水性を確保しながら、同時に開口部の吸排気口面積を確保することができる電気機器屋外用ユニットを提供することを目的とする。
【課題を解決するための手段】
【０００７】
本発明者は、上記の課題を解決するために鋭意検討を重ねた結果、電子機器を収納する筐体の少なくとも一つの側壁部の内側に、前記側壁部と前記電子機器とを隔離する隔壁部を設け、前記側壁部に一つ以上の第１の開口部を形成し、前記側壁部の外側の面に前記第１の開口部を覆うとともに下向きの開口を有する第１のルーバーを設け、かつ前記側壁部の内側の面に、前記第１の開口部を覆うとともに下向きの開口を有する第２のルーバーを設け、前記隔壁部に一つ以上の第２の開口部を形成し、前記隔壁部の前記側壁部側の面に、前記第２の開口部を覆うとともに下向きの開口を有する第３のルーバーを設けてなり、前記側壁部は、外側壁部とその内側に設けられた内側壁部とを備え、前記第１の開口部は、前記外側壁部に形成された外側開口部と、前記内側壁部に形成された内側開口部とにより形成され、前記第１のルーバーは、前記外側壁部の外側の面に、前記外側開口部の上縁から延出し、前記外側開口部を覆うとともに下向きの開口を有して形成され、前記第２のルーバーは、前記内側壁部の内側の面に、前記内側開口部の上縁から延出し、前記内側開口部を覆うとともに下向きの開口を有して形成され、前記第２のルーバーの下端は、前記第１のルーバーの下端より低い位置にあり、前記外側開口部の上縁と前記内側開口部の上縁とは、互いに同じ高さ位置にある電気機器屋外用ユニットにより、防水性を充分に確保することができ、しかも、開口部の吸排気口面積を充分に確保することができることを見出し、本発明を完成するに至った。
【０００８】
すなわち、本発明の請求項１記載の電気機器屋外用ユニットは、屋外に設けられ内部に電子機器を収納する筐体の少なくとも一つの側壁部の内側に、前記側壁部と前記電子機器とを隔離する隔壁部を設け、前記側壁部に一つ以上の第１の開口部を形成し、前記側壁部の外側の面に前記第１の開口部を覆うとともに下向きの開口を有する第１のルーバーを設け、かつ前記側壁部の内側の面に、前記第１の開口部を覆うとともに下向きの開口を有する第２のルーバーを設け、前記隔壁部に一つ以上の第２の開口部を形成し、前記隔壁部の前記側壁部側の面に、前記第２の開口部を覆うとともに下向きの開口を有する第３のルーバーを設けてなり、前記側壁部は、外側壁部とその内側に設けられた内側壁部とを備え、前記第１の開口部は、前記外側壁部に形成された外側開口部と、前記内側壁部に形成された内側開口部とにより形成され、前記第１のルーバーは、前記外側壁部の外側の面に、前記外側開口部の上縁から延出し、前記外側開口部を覆うとともに下向きの開口を有して形成され、前記第２のルーバーは、前記内側壁部の内側の面に、前記内側開口部の上縁から延出し、前記内側開口部を覆うとともに下向きの開口を有して形成され、前記第２のルーバーの下端は、前記第１のルーバーの下端より低い位置にあり、前記外側開口部の上縁と前記内側開口部の上縁とは、互いに同じ高さ位置にあることを特徴とする。
【０００９】
この電気機器屋外用ユニットでは、側壁部及び隔壁部の二重構造により外部から雨水が浸入するのを防止するとともに、側壁部の第１の開口部に設けられた第１のルーバー及び第２のルーバーと、隔壁部の第２の開口部に設けられた第３のルーバーとにより、外部からの雨水が隔壁部の内側に設けられた電気機器に侵入するのを防止する。
また、側壁部の第１の開口部と隔壁部の第２の開口部とを連通することにより、開口部の吸排気口面積が確保される。
これにより、防水性が確保され、開口部の通気性も確保される。
【００１０】
請求項２記載の電気機器屋外用ユニットは、請求項１記載の電気機器屋外用ユニットにおいて、前記第１の開口部と前記第２の開口部とは、前記筐体の底面からの高さが同一であるか、または前記第１の開口部が前記第２の開口部より上方にあることを特徴とする。
【００１１】
この電気機器屋外用ユニットでは、第１の開口部と第２の開口部との筐体の底面からの高さを同一とするか、または前記第１の開口部が前記第２の開口部より上方にあることとしたことにより、第１の開口部と第２の開口部との間の空気の流れがスムーズとなり、開口部の通気性がさらに確保される。
【００１２】
本発明の一態様の電気機器屋外用ユニットでは、第２のルーバーの下端を第１のルーバーの下端より下方に位置したことにより、第１のルーバーから浸入した雨水は、下端が第１のルーバーの下端より下方に位置する第２のルーバーにより下方に導入され、第３のルーバーから浸入して電子機器を濡らす虞がさらになくなる。これにより、防水性がさらに確保される。
【００１３】
本発明の一態様の電気機器屋外用ユニットは、請求項１記載の電気機器屋外用ユニットにおいて、前記側壁部は、第１の側壁部と、前記第１の側壁部の内側に該第１の側壁部と平行に設けられる第２の側壁部とからなり、前記第１の側壁部に前記第１の開口部を形成すると共に前記第１の側壁部の外側の面に前記第１のルーバーを設け、前記第２の側壁部に前記第１の開口部を形成すると共に前記第２の側壁部の内側の面に前記第２のルーバーを設けてなる構成としてよい。
【００１４】
この電気機器屋外用ユニットでは、側壁部を、第１の側壁部と第２の側壁部との二重構造とすることにより、外部からの雨水を第１の側壁部及び第２の側壁部それぞれに設けられたルーバーにより、一部の雨水を第１の側壁部と第２の側壁部との間に誘導し、隔壁部の内側に設けられた電気機器に侵入するのをさらに防止する。
また、第１の側壁部及び第２の側壁部それぞれに形成された開口部を連通することにより、開口部の吸排気口面積が確保される。
これにより、防水性がさらに確保され、開口部の通気性もさらに確保される。
【発明の効果】
【００１５】
本発明の請求項１記載の電気機器屋外用ユニットによれば、電子機器を収納する筐体の側壁部の内側に隔壁部を設け、この側壁部に一つ以上の第１の開口部を形成し、この第１の開口部に下向きの開口を有する第１のルーバー及び第２のルーバーを設け、さらに、隔壁部に一つ以上の第２の開口部を形成し、この隔壁部の第２の開口部に下向きの開口を有する第３のルーバーを設けたので、外部からの雨水をユニットの下方に誘導し、隔壁部の内側に設けられた電気機器に侵入するのを防止することができる。
また、側壁部の第１の開口部と隔壁部の第２の開口部とが連通されるので、開口部の吸排気口面積を確保することができる。
したがって、防水性を確保することができ、開口部の通気性も確保することができる。
【００１６】
請求項２記載の電気機器屋外用ユニットによれば、第１の開口部と第２の開口部との筐体の底面からの高さを同一とするか、または第１の開口部を第２の開口部より上方に位置することとしたので、第１の開口部と第２の開口部との間の空気の流れをスムーズにすることができ、開口部の通気性をさらに確保することができる。
【００１７】
本発明の一態様の電気機器屋外用ユニットによれば、第２のルーバーの下端を第１のルーバーの下端より下方に位置したので、第１のルーバーから浸入した雨水を、下端が第１のルーバーの下端より下方に位置する第２のルーバーにより下方に誘導することにより、この雨水が第３のルーバーから浸入するのを防止することができる。したがって、電子機器の防水性をさらに確保することができる。
【００１８】
本発明の一態様の電気機器屋外用ユニットによれば、側壁部を、第１の側壁部と第２の側壁部との二重構造としたので、外部からの雨水を第１の側壁部及び第２の側壁部それぞれに設けられたルーバーにより、一部の雨水を第１の側壁部と第２の側壁部との間に誘導し、この雨水が隔壁部の内側に設けられた電気機器に侵入するのをさらに防止することができる。
また、第１の側壁部及び第２の側壁部それぞれに形成された開口部を連通することにより、開口部の吸排気口面積を確保することができる。
したがって、防水性をさらに確保することができ、開口部の通気性もさらに確保することができる。
【図面の簡単な説明】
【００１９】
【図１】本発明の第１の実施形態の電気機器屋外用ユニットを示す斜視図である。
【図２】図１のＡ−Ａ線に沿う断面図である。
【図３】図１のＢ−Ｂ線に沿う断面図である。
【図４】本発明の第２の実施形態の電気機器屋外用ユニットを示す縦断面図である。
【図５】本発明の第３の実施形態の電気機器屋外用ユニットを示す縦断面図である。
【図６】本発明の第４の実施形態の電気機器屋外用ユニットを示す縦断面図である。
【図７】本発明の第５の実施形態の電気機器屋外用ユニットを示す縦断面図である。
【図８】従来の電気機器屋外用ユニットの一例を示す縦断面図である。
【発明を実施するための形態】
【００２０】
本発明の電気機器屋外用ユニットを実施するための形態について説明する。
なお、この形態は、発明の趣旨をより良く理解させるために具体的に説明するものであり、特に指定のない限り、本発明を限定するものではない。
【００２１】
［第１の実施形態］
図１は、本発明の第１の実施形態の電気機器屋外用ユニットを示す斜視図、図２は図１のＡ−Ａ線に沿う断面図、図３は図１のＢ−Ｂ線に沿う断面図である。
図において、符号１１は本実施形態の電気機器屋外用ユニットであり、屋外に設けられ内部に電気機器（図示略）を収納するユニット本体（筐体）１２の側壁部１３の内側に、この側壁部１３と所定の間隔をおいて、かつ平行に、この側壁部１３と電子機器とを隔離する板状の隔壁部１４が設けられている。
【００２２】
この側壁部１３には、略矩形状かつ横長の（第１の）開口部１５が縦横に複数個形成され、この側壁部１３のうち外側の側壁部１３ａには、開口部１５を覆うとともに下向きの略矩形状かつ横長の開口２１を有する（第１の）ルーバー２２が設けられている。
また、この側壁部１３のうち内側の側壁部１３ｂにも、ルーバー２２と同一の形状であり、開口部１５を覆うとともに下向きの開口３１を有する（第２の）ルーバー３２が設けられている。
【００２３】
一方、隔壁部１４には、開口部１５と同一形状の（第３の）開口部１６が、開口部１５各々に対応した位置に縦横に複数個形成され、この隔壁部１４の側壁部１３側の面１４ａには、ルーバー２２と同一の形状であり、開口部１６を覆うとともに下向きの開口４１を有する（第３の）ルーバー４２が設けられている。
このように、内側の側壁部１３ｂに設けられたルーバー３２と、隔壁部１４に設けられたルーバー４２とは、所定の間隔をおいたものとなっている。
また、側壁部１３の開口部１５各々と、隔壁部１４の開口部１５各々に対応する位置に形成された開口部１６各々とは、ユニット本体１２の底面１２ａからの高さが同一なものとなっている。
【００２４】
これら側壁部１３及び隔壁部１４は、耐食性を有する板状のものが好ましく、例えば、表面に防錆塗装が施された鉄板、あるいはステンレス板、アルミニウム板、樹脂板等により構成されている。
また、ルーバー２２、３２、４２も、耐食性、加工性、組立性等の点を考慮すると、側壁部１３または隔壁部１４と一体に加工されたものが好ましい。
【００２５】
この電気機器屋外用ユニット１１では、側壁部１３及び隔壁部１４により二重構造の側壁としたことにより、外部から雨水１７が浸入し難くなる。
また、ルーバー２２の開口２１は下向きであるから、雨水１７はルーバー２２内には下側からしか浸入せず、したがって、雨水１７がルーバー２２内に侵入し難い構造である。
また、ルーバー２２の開口２１から雨水１７が浸入したとしても、開口部１５の反対側に設けられたルーバー３２により、雨水１７はユニット１１の下方に誘導されることとなる。これにより、雨水１７は流れに抗してルーバー４２の開口４１から浸入することが難しくなり、この雨水１７が隔壁部１４の内側に設けられた電気機器（図示略）に侵入する虞もなくなる。
【００２６】
また、側壁部１３の開口部１５と隔壁部１４の開口部１６とは、同一の形状の略矩形状かつ横長の開口部であるから、これら開口部１５及び開口部１６は連通が容易となり、したがって、開口部の吸排気口面積が充分に確保されることとなる。
これにより、側壁部１３及び隔壁部１４各々の防水性が確保され、開口部１５及び開口部１６の通気性も確保される。
【００２７】
側壁部１３の開口部１５各々と、隔壁部１４の開口部１５各々に対応する位置に形成された開口部１６各々とは、ユニット本体１２の底面１２ａからの高さが同一であるから、開口部１５と開口部１６との間の空気の流れがスムーズになり、開口部１５、１６における通気性がさらに確保される。
【００２８】
本実施形態の電気機器屋外用ユニット１１によれば、側壁部１３の内側に板状の隔壁部１４を設け、この側壁部１３に開口部１５を複数個形成し、この開口部１５を覆うルーバー２２、３２を設け、隔壁部１４にも開口部１５と同一形状の開口部１６を複数個形成し、この開口部１６を覆うルーバー４２を設けたので、外部からの雨水１７をユニット１１の下方に誘導し、隔壁部１４の内側に設けられた電気機器に侵入するのを防止することができる。
【００２９】
また、側壁部１３の開口部１５と隔壁部１４の開口部１６とを連通させたので、開口部１５、１６の吸排気口面積を充分に確保することができる。
また、側壁部１３の開口部１５各々のユニット本体１２の底面１２ａからの高さと、開口部１５各々に対応する隔壁部１４の開口部１６各々のユニット本体１２の底面１２ａからの高さとを同一としたので、開口部１５、１６間の空気の流れをスムーズにすることができ、開口部１５、１６の通気性をさらに確保することができる。
【００３０】
［第２の実施形態］
図４は、本発明の第２の実施形態の電気機器屋外用ユニットを示す縦断面図であり、この電気機器屋外用ユニット５１が第１の実施形態の電気機器屋外用ユニット１１と異なる点は、隔壁部１４の開口部１５各々に対応する位置に形成された開口部１６各々のユニット本体１２の底面１２ａからの高さを、側壁部１３の開口部１５各々のユニット本体１２の底面１２ａからの高さより低くした点であり、それ以外の点については第１の実施形態の電気機器屋外用ユニット１１と全く同様である。
【００３１】
本実施形態の電気機器屋外用ユニット５１においても、第１の実施形態の電気機器屋外用ユニット１１と同様の作用・効果を奏することができる。
しかも、隔壁部１４の開口部１５各々に対応する位置に形成された開口部１６各々のユニット本体１２の底面１２ａからの高さを、側壁部１３の開口部１５各々のユニット本体１２の底面１２ａからの高さより低くしたので、開口部１５から浸入した雨水１７が開口部１６に流れ難くなり、したがって、防水性をさらに確保することができる。
【００３２】
［第３の実施形態］
図５は、本発明の第３の実施形態の電気機器屋外用ユニットを示す縦断面図であり、この電気機器屋外用ユニット７１が第１の実施形態の電気機器屋外用ユニット１１と異なる点は、外側の側壁部１３ａにおけるルーバー２２の取り付け位置を、内側の側壁部１３ｂにおけるルーバー３２の取り付け位置より高くした点であり、それ以外の点については第１の実施形態の電気機器屋外用ユニット１１と全く同様である。
【００３３】
本実施形態の電気機器屋外用ユニット７１においても、第１の実施形態の電気機器屋外用ユニット１１と同様の作用・効果を奏することができる。
しかも、外側の側壁部１３ａにおけるルーバー２２の取り付け位置を、内側の側壁部１３ｂにおけるルーバー３２の取り付け位置より高くしたので、ルーバー２２から浸入した雨水１７を、ルーバー２２より低い位置にあるルーバー３２により下方に導入することにより、この雨水１７がルーバー４２に浸入するのを防止することができる。したがって、電子機器の防水性をさらに確保することができる。
【００３４】
［第４の実施形態］
図６は、本発明の第４の実施形態の電気機器屋外用ユニットを示す縦断面図であり、この電気機器屋外用ユニット８１が第１の実施形態の電気機器屋外用ユニット１１と異なる点は、内側の側壁部１３ｂに設けられたルーバー３２の下端３２ａを、外側の側壁部１３ａに設けられたルーバー２２の下端２２ａより下方に位置した点であり、それ以外の点については第１の実施形態の電気機器屋外用ユニット１１と全く同様である。
【００３５】
本実施形態の電気機器屋外用ユニット８１においても、第１の実施形態の電気機器屋外用ユニット１１と同様の作用・効果を奏することができる。
しかも、内側の側壁部１３ｂに設けられたルーバー３２の下端３２ａを、外側の側壁部１３ａに設けられたルーバー２２の下端２２ａより下方に位置したので、ルーバー２２から浸入した雨水１７を、ルーバー３２により下方に誘導することにより、この雨水１７がルーバー４２に浸入するのを防止することができる。したがって、電子機器の防水性をさらに確保することができる。
【００３６】
［第５の実施形態］
図７は、本発明の第５の実施形態の電気機器屋外用ユニットを示す縦断面図であり、この電気機器屋外用ユニット１０１が第１の実施形態の電気機器屋外用ユニット１１と異なる点は、側壁部１３を、（第１の）側壁部１０２と、側壁部１０２の内側に該側壁部１０２と平行に設けられる（第２の）側壁部１０３とにより構成し、側壁部１０２に開口部１５を複数個形成し、この側壁部１０２の外側の面１０２ａに、開口部１５を覆うとともに下向きの略矩形状かつ横長の開口２１を有するルーバー２２を設け、一方、側壁部１０３の開口部１５各々に対応する位置に開口部１５と同一形状の開口部１０４を複数個形成し、この側壁部１０３の内側の面１０３ａに、開口部１０４を覆うとともに下向きの略矩形状かつ横長の開口３１を有するルーバー３２を設けた点であり、それ以外の点については第１の実施形態の電気機器屋外用ユニット１１と全く同様である。
【００３７】
本実施形態の電気機器屋外用ユニット１０１においても、第１の実施形態の電気機器屋外用ユニット１１と同様の作用・効果を奏することができる。
しかも、側壁部１３を、一対の側壁部１０２及び側壁部１０３により構成し、側壁部１０２に開口部１５を複数個形成し、この開口部１５を覆うとともに下向きの開口２１を有するルーバー２２を設け、側壁部１０３に開口部１５と同一形状の開口部１０４を複数個形成し、この開口部１０４を覆うとともに下向きの開口３１を有するルーバー３２を設けたので、外部からの雨水１７を側壁部１０２及び側壁部１０３それぞれに設けられたルーバー２２、３２により一部の雨水１７を側壁部１０３と側壁部１０２との間に誘導することにより、隔壁部１４の内側に設けられた電気機器に侵入するのをさらに防止することができる。
【符号の説明】
【００３８】
１１  電気機器屋外用ユニット
１２  ユニット本体（筐体）
１２ａ  底面
１３  側壁部
１３ａ  外側の側壁部
１３ｂ  内側の側壁部
１４  隔壁部
１４ａ  隔壁部１４の隔壁部１３側の面
１５  （第１の）開口部
１６  （第２の）開口部
１７  雨水
２１  開口
２２  （第１の）ルーバー
２２ａ  下端
３１  開口
３２  （第２の）ルーバー
３２ａ  下端
４１  開口
４２  （第３の）ルーバー
５１  電気機器屋外用ユニット
７１  電気機器屋外用ユニット
８１  電気機器屋外用ユニット
１０１  電気機器屋外用ユニット
１０２  （第１の）側壁部
１０２ａ  外側の面
１０３  （第２の）側壁部
１０３ａ  内側の面
１０４  開口部
【図１】
0005707140.tif 000002
【図２】
0005707140.tif 000003
【図３】
0005707140.tif 000004
【図４】
0005707140.tif 000005
【図５】
0005707140.tif 000006
【図６】
0005707140.tif 000007
【図７】
0005707140.tif 000008
【図８】
0005707140.tif 000009